(57)【要約】      （修正有）【課題】太い紐を撚り合わせる場合でも、損傷することがなく、しかも、操作している人が、紐や糸などの撚対象物の撚る方向を良好に認識することができる紐撚器を提供する。【解決手段】紐や糸などの撚対象物を撚る紐撚器１であって、支持台３に回転自在に取り付けられた回転駆動軸４と、この回転駆動軸に取り付けられた駆動歯車５と、回転駆動軸に設けられて、手動回転用のハンドル６または回転駆動源が連結される駆動力伝達部８と、支持台に支持された中間軸９を介して、駆動歯車に噛み合う状態で回転自在に配設された中間伝達歯車１０と、支持台に回転自在に取り付けられた複数の従動軸１１と、各従動軸に対応して取り付けられ、中間伝達歯車に噛み合い、回転駆動軸と同方向に回転される複数の従動歯車と、従動軸に設けられて撚対象物が係止される係止部１３と、を備える。【選択図】図１
0003185944.tif 000002
【実用新案登録請求の範囲】
【請求項１】
紐や糸などの撚対象物を撚る紐撚器であって、
支持台に回転自在に取り付けられた回転駆動軸と、
この回転駆動軸に取り付けられた駆動歯車と、
前記回転駆動軸に設けられて、手動回転用のハンドルまたは回転駆動源が連結される駆動力伝達部と、
前記支持台に支持された中間軸を介して、前記駆動歯車に噛み合う状態で回転自在に配設された中間伝達歯車と、
前記支持台に回転自在に取り付けられた複数の従動軸と、
各従動軸に対応して取り付けられ、前記中間伝達歯車に噛み合い、前記回転駆動軸と同方向に回転される複数の従動歯車と、
前記従動軸に設けられて前記撚対象物が係止される係止部と、
を備えることを特徴とする紐撚器。
【考案の詳細な説明】
【技術分野】
【０００１】
本考案は、紐や糸を撚る紐撚器に関する。
【背景技術】
【０００２】
手芸などにより使用され、紐や糸を撚る従来の紐撚器は、例えば、特許文献１に開示されている。この特許文献１に開示された従来の紐撚器は、いわゆる遊星歯車機構を備えたものである。すなわち、使用者が持つ取手の端部に円筒状の固定ケースが一体形成されており、固定ケースの内部には、１つの太陽歯車と、この太陽歯車にそれぞれ外周側から噛み合う３つの遊星歯車と、が配設され、固定ケースの底部側には、遊星歯車の軸心部を回転自在に支持する円板部が、前記太陽歯車の軸心部を中心として回転自在に配設されている。また、前記太陽歯車の軸心部の一部が固定ケースの外部に突出され、この太陽歯車の軸心部の突出箇所に、手で回すハンドルが取り付けられている。また、遊星歯車の軸心部の一部が前記円板部から外部に突出され、この遊星歯車の軸心部の突出箇所に、撚る対象物である紐や糸の一端部を係止する引掛け鈎（フック）などの係止具が取り付けられている。さらに、前記円板部に、取手と太陽歯車との何れかに係合可能な切換レバーがスライド自在に取り付けられている。
【０００３】
前記円板部に取り付けられた切換レバーを取手側に係合させると、円板部が取手や固定カバー側に位置規制されて固定されるため、ハンドルを回すと、円板部が固定された状態で遊星歯車とともに各係止具が自転する。一方、切換レバーを太陽歯車側に係合させると、円板部が太陽歯車に固定されるため、ハンドルを回すと、全ての係止具が、前記自転方向とは逆方向に、太陽歯車の軸心部を中心として、円板部とともに一体的に公転する。
【０００４】
この紐撚器を用いて、紐や糸を撚る場合には、まず、切換レバーを取手側に係合させた状態で、各係止具に紐や糸の一端部を引掛けるとともに紐や糸の他端部を固定し、ハンドルを回す。これにより、各係止具が自転されて、係止された紐や糸がそれぞれ単体で撚られる（下撚工程）。この後、切換レバーを太陽歯車側に係合するように切り換え直した後、前記下撚工程と同じ方向にハンドルを回す。これにより、それぞれが撚られた紐や糸同士が反対側に捩じられて、１本の紐や糸としてまとめられる（上撚工程）。例えば、紐や糸の色や材質などを異ならせることで、複数の色や材質の紐や糸が長さ方向に交互に切り換わる紐や糸を比較的簡単に作ることができる。
【先行技術文献】
【特許文献】
【０００５】
【特許文献１】実開昭５３−１３７２２３号公報
【考案の概要】
【考案が解決しようとする課題】
【０００６】
しかしながら、上記従来構成の紐撚器では、紐や糸同士を撚り合わせる際には、遊星歯車とともに係止具が公転しながら、すなわち、係止具の位置が太陽歯車の軸心部を中心として変化しながら紐や糸同士が撚り合わせられる。したがって、紐や糸同士を撚り合わせる際に、係止具を側方から太陽歯車の軸心部中心に向けて湾曲させるような外力が作用することとなるため、例えば太い紐を撚り合わせようとすると、係止具に対して湾曲させるような大きな外力が作用して、係止具や遊星歯車が損傷してしまう可能性が高くなる。
【０００７】
また、切換レバーを切り換えた後にも、ハンドルを回す方向が同じであるため、使用者は、同じ方向に係止具が回転されていると勘違いし易く、切換レバーを切り換えた際に係止具が逆方向に回転されることを認識し難く、下撚と上撚の原理を理解し難いという短所がある。
【０００８】
本考案は上記課題を解決するもので、太い紐を撚り合わせる場合でも、損傷することがなく、しかも、使用者が、紐や糸などの撚対象物の撚る方向を良好に認識することができる紐撚器を提供することを目的とする。
【課題を解決するための手段】
【０００９】
上記課題を解決するために本考案は、紐や糸などの撚対象物を撚る紐撚器であって、支持台に回転自在に取り付けられた回転駆動軸と、この回転駆動軸に取り付けられた駆動歯車と、前記回転駆動軸に設けられて、手動回転用のハンドルまたは回転駆動源が連結される駆動力伝達部と、前記支持台に支持された中間軸を介して、前記駆動歯車に噛み合う状態で回転自在に配設された中間伝達歯車と、前記支持台に回転自在に取り付けられた複数の従動軸と、各従動軸に対応して取り付けられ、前記中間伝達歯車に噛み合い、前記回転駆動軸と同方向に回転される複数の従動歯車と、前記従動軸に設けられて前記撚対象物が係止される係止部と、を備えることを特徴とする。
【００１０】
この構成において、前記回転駆動軸に回転用のハンドルや回転駆動源を連結して回転すると、支持台に取り付けられた複数の従動歯車が、回転用のハンドルや回転駆動源の回転方向と同じ方向に回転する。したがって、まず、各係止部に、紐や糸などの撚対象物の一端部を係止させるとともに、撚対象物の他端部を固定させた状態で、回転用のハンドルや回転駆動源を回転させることで、同じ方向に、紐や糸などの撚対象物をそれぞれ撚ることができる（下撚工程）。次に、撚られた撚対象物を１箇所の係止部に集めて係止させた後、ハンドルや回転駆動源を逆方向に回転させることで、予め撚られた撚対象物が反対方向に回転されながら撚り合わされて、１本の紐や糸としてまとめることができる（上撚工程）。
【考案の効果】
【００１１】
本考案の紐撚器によれば、下撚する際だけでなく、上撚する際でも、係止部が各従動軸を中心として回転する（自転する）だけであって、公転しないので、例えば太い紐を撚り合わせる場合でも、係止部に対して湾曲させるような大きな外力が作用し難くなり、係止部を損傷することなく、良好に撚り合わせることができる。また、係止部がハンドルや回転駆動源と常に同じ方向に回転するため、上撚する際には、ハンドルや回転駆動源を、下撚する際とは反対方向に回すことになり、使用者はそれぞれの回転方向を逆にすることを良好に認識しながら当該紐撚器を操作することができる。
【図面の簡単な説明】
【００１２】
【図１】本考案の実施の形態に係る紐撚器の斜視図である。
【図２】同紐撚器の斜視図である。
【図３】（ａ）および（ｂ）は本考案の実施の形態に係る引掛具および一時係止具の斜視図である。
【図４】紐や糸などの撚対象物を示す図である。
【図５】（ａ）は紐撚器を用いて下撚作業を行っている状態を示す斜視図、（ｂ）および（ｃ）はそれぞれ同紐撚器を用いて上撚作業を行っている状態を示す斜視図である。
【図６】前記紐撚器を用いて撚り合わされた撚対象物を示す図である。
【図７】（ａ）および（ｂ）は、他の方法により紐撚器を用いて下撚作業および上撚作業を行っている状態を示す斜視図である。
【図８】（ａ）〜（ｄ）はそれぞれ治具を用いて上撚作業を行っている状態を示す斜視図である。
【図９】（ａ）および（ｂ）はそれぞれ前記紐撚器を用いて本考案の他の実施の形態に係る下撚作業および上撚作業を行っている状態を示す斜視図である。
【考案を実施するための形態】
【００１３】
以下、本考案の実施の形態に係る紐撚器を図面に基づき説明する。ここで、図１および図２はそれぞれ本考案の実施の形態に係る紐撚器の斜視図、図３（ａ）および（ｂ）は前記紐撚器と共に撚工程で用いられる引掛具および一時係止具である。
【００１４】
図１、図２において、１は紐や糸などの撚対象物Ａを撚る本考案の実施の形態に係る紐撚器（紐撚装置本体）である。図１、図２に示すように、紐撚器１は、使用者により把持される取手部２ａなどが設けられた設置台２と、この設置台２から上方に立設する姿勢で固定された支持台３と、支持台３の中央部に回転自在に取り付けられた１つの回転駆動軸４と、この回転駆動軸４に取り付けられた１つの駆動大歯車（駆動歯車）５と、回転駆動軸４に設けられて、手動回転用のハンドル６またはドリル用モータなどの回転駆動源７が連結される駆動力伝達部８と、支持台３において回転自在に支持された中間軸９と、中間軸９を介して、駆動大歯車５に噛み合う状態で回転自在に配設された中間伝達歯車１０と、支持台３に回転自在に取り付けられた４つの従動軸１１と、各従動軸１１に対応して取り付けられ、中間伝達歯車１０に噛み合い、回転駆動軸４と同方向でかつ回転駆動軸４よりも大きな回転数で回転される複数の従動小歯車（従動歯車）１２と、従動軸１１の端部に設けられて前記撚対象物が係止される係止部１３と、を備えている。
【００１５】
ここで、本考案の実施の形態では、中間軸９および中間伝達歯車１０が、支持台３において回転駆動軸４の上方と下方とに、すなわち合わせて２つ設けられている。また、中間軸９および中間伝達歯車１０の左右にそれぞれ従動軸１１と従動小歯車１２とが設けられ、すなわち、従動軸１１と従動小歯車１２とが、回転駆動軸４や駆動大歯車５の上下左右の斜め方向に、合わせて４つ設けられている。また、この実施の形態では、手動回転用のハンドル６またはドリル用モータなどの回転駆動源７が連結される駆動力伝達部８は、単なる回転駆動軸４の一端部とされ、ハンドル６が固定された部分からさらに側方に突出されて、回転駆動源７を連結可能に構成されているが、これに限るものではなく、ハンドル６を駆動力伝達部８に着脱自在に設けるなどしてもよい。
【００１６】
また、従動軸１１は、支持台３におけるハンドル６が取り付けられる面とは反対側の面から側方に突出する姿勢で配設されており、この突出箇所の先端部に係止部１３が設けられている。この実施の形態では、係止部１３は中実の従動軸１１の端部が略Ｖ字形状に屈曲されて形成され、この係止部１３に、図４に示すような、紐や糸などの撚対象物Ａにおける一端部、具体的には、リング状に形成された部分Ａ１を引掛けたり、互いに括られるなどして太くなった部分Ａ２を係止させたりする。なお、係止部１３の形状は、Ｖ字形状に限定されるものではなく、鉤状やその他、係止できる形状であればよく、また、係止部１３は、従動軸１１自体に形成されていなくてもよく、従動軸１１に別途部品の係止部を取り付けてもよい。
【００１７】
また、図３（ａ）は紐撚器１と共に撚工程（下撚工程および上撚工程）で用いられる引掛具２０を示す斜視図である。この引掛具２０は、水平に延び、平らな台などに載せられてクランプなどにより固定される台部２１と、この台部２１より略垂直に立設する立設部２２と、この立設部２２から側方に突出させて組みつけられた鉤状の複数の（この実施の形態では４つの）引掛部２３とを有している。そして、紐や糸などの撚対象物Ａにおける他端部を、この引掛部２３に引掛けて係止するようになっている。
【００１８】
また、図３（ｂ）は紐撚器１と共に撚工程で用いられるおよび一時係止具３０を示す斜視図である。この一時係止具３０は、水平に延び、平らな台などに載せられてクランプなどにより固定される台部３１と、この台部３１にねじなどにより取り付けられて、略水平方向に延びるバネ板などからなる挟持部３２とを有する。そして、途中の工程などまで撚られた撚対象物Ａにおける一端部や他端部を、台部３１と挟持部３２との間で一時的に挟持させて係止するようになっている。
【００１９】
上記した紐撚器１や引掛具２０などを用いて、紐や糸などの撚対象物Ａを撚る工程（方法）について説明する。
図５（ａ）に示すように、まず、紐や糸などの撚対象物Ａの一端部（撚対象物Ａにおけるリング状に形成された部分Ａ１や互いに括られるなどして太くなった部分Ａ２）を、紐撚器１の従動軸１１に設けた係止部１３に係止させる。また、撚対象物Ａの他端部（撚対象物Ａにおけるリング状に形成された部分Ａ１）を引掛部２３に引掛けて係止させる。なお、この際は、撚対象物Ａ毎に、個別の係止部１３や引掛部２３に係止させる。
【００２０】
そして、設置台２の取手部２ａを手に持つか机に固定するなどした上で、回転用のハンドル６や回転駆動源７を回転させる（なお、図５などでは、回転用のハンドル６で回転させている場合を図示している）。これにより、回転用のハンドル６や回転駆動源７が取り付けられた駆動大歯車５が回転し、さらに、中間伝達歯車１０を介して、各従動小歯車１２が連動して回転する。また、中間伝達歯車１０を介することで、回転用のハンドル６や回転駆動源７の回転方向と同じ方向に各従動小歯車１２が回転して、従動軸１１に設けた係止部１３が、ハンドル６や回転駆動源７よりも大きな回転数で同じ方向に回転し、この結果、各撚対象物Ａがそれぞれ同じ方向に撚られる（下撚工程）。
【００２１】
次に、図５（ｂ）や図５（ｃ）に示すように、個別に撚られた撚対象物Ａを１箇所の係止部１３に集めて係止させた後、ハンドル６や回転駆動源７を前記下撚工程の回転方向と逆方向に回転させる。これにより、予め個別に撚られた撚対象物Ａが反対方向に回転しながら撚り合わされて、１本の紐や糸としてまとめられる（上撚工程）。なお、この際には、図５（ｂ）に示すように、それぞれ別個の引掛部２３に係止されている撚対象物Ａを、同じ引掛部２３にかけ直してもよいし、図５（ｃ）に示すように、それぞれ別個の引掛部２３に係止させたままとしてもよい。撚対象物Ａが１本の紐や糸としてまとめられたら（上撚工程が終了したら）、撚対象物Ａを係止部１３や引掛部２３から取外す。これにより、図６に示すような、複数の撚対象物Ａが撚られた紐や糸同士が反対側に捩じられて、１本の紐や糸として良好に撚られた（まとめられた）紐や糸を得ることができる。例えば、紐や糸の色や材質などを異ならせることで、複数の色や材質の紐や糸が長さ方向に交互に切り換わる紐や糸を比較的簡単な作業で作ることができる。なお、撚った撚対象物Ａを係止部１３や引掛部２３から取外した際には、一時係止具３０を適宜用いて、撚対象物Ａが解けないようにすればよい。
【００２２】
本考案の実施の形態に係る紐撚器１によれば、下撚する際だけでなく、上撚する際でも、係止部１３が各従動軸１１を中心として回転する（自転する）だけであり、公転しない。したがって、例えば撚対象物Ａとして太い紐を撚り合わせる場合でも、係止部１３に対して湾曲させるような大きな外力が作用し難いため、係止部１３を損傷することなく、良好に撚り合わせることができる。また、係止部１３がハンドル６や回転駆動源７と常に同じ方向に回転するため、上撚する際には、ハンドル１３や回転駆動源７を、下撚する際とは反対方向に回すことになり、使用者はそれぞれの回転方向を逆にすることを良好に認識しながら当該紐撚器１を操作することができる。
【００２３】
なお、上記の実施の形態では、撚対象物Ａが４本である場合を述べたが、撚対象物Ａが２本や３本である場合でも、同様な方法で互いに撚り合わせることができる。また、上記の実施の形態では、下撚工程において、撚対象物Ａの他端を引掛部２３に引掛けて撚る場合を述べたが、例えば、撚対象物Ａが２本である場合には、図７（ａ）、（ｂ）に示すように、撚対象物Ａの中央部を引掛部２３に引掛けて、撚対象物Ａの他端部も、残りの（撚対象物Ａの一端を係止させていない）係止部１３に係止させて、ハンドル１３や回転駆動源７を回転させ、下撚してもよい。この場合には、撚対象物Ａの一端部から中央部までの領域と、撚対象物Ａの中央部から他端部までの領域とのそれぞれで、係止部１３の回転数に対応して撚られるので、撚対象物Ａの他端を引掛部２３に引掛けて撚る場合と比較して、ハンドル１３や回転駆動源７の回転数が同じであると、２倍撚ることができる。したがって、同じ数を撚る場合には、ハンドル１３や回転駆動源７の回転数を半減することができ、その分、手間や時間を省くことができる利点がある。
【００２４】
また、図５（ｃ）で示すようにして撚対象物Ａを上撚する際に、図８（ａ）〜（ｄ）に示すように、各撚対象物Ａの途中の箇所において、撚られる直前箇所において、各撚対象物Ａが良好に分離された状態から撚られるように、撚対象物Ａのそれぞれを分ける、十字形状や、くし形状、円環部や円板部を有する、各種の治具３５を用いても良い。これによれば、撚られる際に一部の撚対象物Ａだけが偏って撚られることを防止できて、一層良好に撚り合わせることができる利点がある。
【００２５】
また、図９（ａ）、（ｂ）に示すように、撚対象物Ａを下撚する際に、予め撚対象物Ａにビーズ４０を通しておくことにより、ビーズ４０が組み込まれたものを良好かつ簡単に作成することができる。また、一部の撚対象物Ａとして細い糸やピアノ線などを用いることで、細い糸やピアノ線が良好に撚り合わされたものを簡単に作成することができる。
【００２６】
また、上記の実施の形態では、従動軸１１や従動小歯車１２が４つである場合を例示したが、これに限るものではなく、従動軸１１や従動小歯車１２を５つ以上設けたり、２つや３つ設けたりしてもよく、同様な作用効果を得ることができる。
【符号の説明】
【００２７】
Ａ      撚対象物
１      紐撚器
２      設置台
３      支持台
４      回転駆動軸
５      駆動大歯車（駆動歯車）
６      ハンドル
７      回転駆動源
８      駆動力伝達部
９      中間軸
１０    中間伝達歯車
１１    従動軸
１２    従動小歯車（従動歯車）
１３    係止部
２０    引掛具
２３    引掛部
３０    一時係止具
３５    治具
４０    ビーズ
【図１】
0003185944.tif 000003
【図２】
0003185944.tif 000004
【図３】
0003185944.tif 000005
【図４】
0003185944.tif 000006
【図５】
0003185944.tif 000007
【図６】
0003185944.tif 000008
【図７】
0003185944.tif 000009
【図８】
0003185944.tif 000010
【図９】
0003185944.tif 000011